(57)【要約】      （修正有）【課題】掻取部を構成する一部の爪のみを交換することができると共に用途や使用者の体力に応じて熊手型掻取部の構成を容易に変更することができ、且つ、容易に入手可能な材料で簡単に修理や改造をすることができる熊手型除草器具を提供する。【解決手段】把持部１０２の先端に熊手型の掻取部１０１を備えた熊手型除草器具１００であって、掻取部１０１は略同一長さの針金をクランク形状に屈曲形成した複数の爪部材１０４により構成し、当該複数の爪部材１０４は並列配置すると共に一端を把持部１０１の先端から突出するように当該把持部１０２の底面にステープル１０６で固定し、更に爪部材１０４の他端を把持部１０２の底面に打ち込んで固定する。【選択図】図１
2013255443.tif 000002
【特許請求の範囲】
【請求項１】
把持部の先端に熊手型の掻取部を備えた熊手型除草器具であって、
前記引掻部が略同一長さの針金をクランク形状に屈曲形成した複数の爪部材により構成され、
当該複数の爪部材は並列配置されると共に一端が前記把持部の先端から突出するように当該把持部底面にステープルで固定され、
更に前記爪部材の他端が前記把持部底面に打ち込まれて固定されている
ことを特徴とする熊手型除草基具。
【発明の詳細な説明】
【技術分野】
【０００１】
本発明は、除草器具の技術分野に関し、特に詳しくは熊手型の除草器具に関するものである。
【背景技術】
【０００２】
従来から、把持部の先端に熊手形状の掻取部が設けられた熊手型除草器具が種々知られている（特許文献１〜５参照）。
【先行技術文献】
【特許文献】
【０００３】
【特許文献１】特開２００４−８０９９号公報
【特許文献２】特開２００５−２６１２２０号公報
【特許文献３】特開２００９−３９０９０号公報
【特許文献４】実用新案登録第３１２２１４５号公報
【特許文献５】実開平５−３９２３１号公報
【発明の概要】
【発明が解決しようとする課題】
【０００４】
しかしながら、これら従来からの熊手型除草器具においては、熊手形状の掻取部の爪が全て一体化されていて部分的に交換する事が不可能であった。また除草しようとする草の種類や土質、更には使用者側の体力（例えば高齢者などはそれ以外の者に比べて体力の低下が著しい）に応じて掻取部の構成を変更する事は事実上困難であった。更に故障等した際に修理しようとしても、全てが専用の部品で構成されているので例えばホームセンターなどで市販されている入手容易な部品を用いて修理することも困難であった。
【０００５】
そこで本発明は、これら問題点を解決した熊手型除草器具を提供する事をその課題としている。
【課題を解決するための手段】
【０００６】
上記課題を解決するべく、本願発明は、把持部の先端に熊手型の掻取部を備えた熊手型除草器具であって、前記引掻部を略同一長さの針金をクランク形状に屈曲形成した複数の爪部材により構成し、当該複数の爪部材は並列配置すると共に一端が前記把持部の先端から突出するように当該把持部底面にステープルで固定し、更に前記爪部材の他端を前記把持部底面に打ち込んで固定していることを特徴とする。
【０００７】
このように、引掻部を複数のクランク形状の爪部材で構成し且つステープルで固定するという構成を採用することによって、一部の爪部材が折損したり摩耗が進んだ場合でも、特定の爪部材のみを交換する事が可能となる。
【０００８】
更に、爪部材の本数や太さを変更することが容易にできるので、除草しようとする草の種類や土質、更には使用者の体力に応じて使いやすい構成に変更する事も容易となる。例えば、硬い土質の場合は爪部材の本数を少なくすることによって引掻部を土中に差し込み易くなるので、高齢者など体力がない者にとっても使い易い除草器具となる。
【０００９】
また、修理が必要となる爪部材は針金を折り曲げて構成されており、それを把持部に固定しているのも例えば電線用のステープルが利用できるので、爪部材の折損や摩耗等によって修理が必要となった場合でも、ホームセンターなどで容易にその部品を入手して自分で修理や改造をすることが可能となっている。
【００１０】
また爪部材はクランク形状に形成され、他端側が把持部底面に打ち込まれているので、使用時に爪部材が先端方向に抜け落ちることもない。
【発明の効果】
【００１１】
本発明を適用することで、掻取部を構成する一部の爪のみを交換することができると共に用途や使用者の体力に応じて熊手型掻取部の構成を容易に変更することができ、且つ、容易に入手可能な材料で構成されているので簡単に修理や改造をすることができる。
【図面の簡単な説明】
【００１２】
【図１】本発明に係る熊手型除草器具の側面図である。
【図２】本発明に係る熊手型除草器具の底面図である。
【図３】本発明に係る熊手型除草器具の使用例を示した図である。
【発明を実施するための形態】
【００１３】
以下、添付図面を参照しつつ、本発明の実施形態の一例である熊手型除草器具１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１４】
〈熊手型除草器具の構成〉
図１及び図２に示す通り、本発明に係る熊手型除草器具１００は、使用時に手で握る把持部１０２と、当該把持部１０２の先端に備わる引掻部１０１で構成されている。
【００１５】
把持部１０２は、本実施形態においては、木材を握り易い適当な大きさに切り出し、握りやすいように角部の丸め処理が行われている。
【００１６】
引掻部１０１は、本実施形態においては、５本の爪が熊手形状となるように構成されていて、図２に示しているように、略同一の長さの針金がクランク形状に折り曲げられて構成された５本の爪部材１０４が並列配置されて構成されている。
【００１７】
並列配置された５本の爪部材１０４は、一端側の引掻爪１０４ａが把持部１０２の先端から飛び出す位置で固定されている。また爪部材１０４の先端（引掻爪１０４ａ）は約８０度の角度θ（図２を参照）となるように折り曲げられており、手前方向に引っ張る力が加わることによって地面方向に食い込もうとする力が発生するように構成されている。また、爪部材１０４の固定は２つのステープル１０６によって実現される。このステープル１０６は、例えば、電線固定用のステープルを利用する。
【００１８】
また爪部材１０４の他端側は把持部１０２の底面に打ち込まれて固定されている。これにより、爪部材１０４の引掻爪１０４ａが幅方向（図２におけるＷ方向）に動いてしまうことを防止でき、また、使用時に爪部材が先端方向に抜け落ちることもない構成とされている。
【００１９】
また本実施形態においては、爪部材１０４を構成する針金は鉄製の直径２ｍｍのものが利用されている。突出長さＬは約２８ｍｍ、引掻爪１０４ａの高さ（深さ）は約１８ｍｍとなっているので線経が２ｍｍであっても十分な強度を確保できる構成とされている。
【００２０】
〈熊手型除草器具の作用・機能〉
本発明に係る熊手型除草器具１００を使用する時は、把持部１０２を手で把持し、引掻爪１０１を除草しようとする植物１０の株部分（根元部分）に引っ掻けて手前に引くように使用する（図３参照）。株部分が大きい植物の場合には分割して一部ずつ引っ掻けて引き抜くという動作を繰り返して除草する。
【００２１】
繰り返しの使用により一部若しくは全部の爪部材１０４が折損したり摩耗したりすることがあるが、上述した通り、引掻部１０１を複数のクランク形状の爪部材１０４で構成し且つステープル１０６で固定するという構成を採用していることによって、一部の爪部材１０４が折損したり摩耗が進んだ場合でも、特定の爪部材１０４のみを交換する事が可能となる。
【００２２】
更に、爪部材１０４の本数や太さを容易に変更することができるので、除草しようとする草の種類や土質、更には使用者の体力に応じて使いやすい構成に変更する事も容易となっている。例えば、硬い土質の場合は爪部材１０４の本数を少なくすることによって引掻部１０１を土中に差し込み易くなるので、高齢者など体力がない者にとっても使い易い除草器具となる。
【００２３】
また、修理が必要となる爪部材１０４は針金を折り曲げて構成されており、それを把持部１０２に固定しているので、爪部材１０４の折損や摩耗等によって修理が必要となった場合でも、ホームセンターなどで容易にその部品を入手して自分で修理や改造をすることが可能となっている。
【００２４】
〈その他の構成例〉
なお上記では５本の爪部材１０４で熊手形状の引掻部１０１を構成しているが本数は５本に限られない。除草しようとする植物の種類や土質、使用者の体力等によって適宜変更することが可能である。また材質も鉄に限らずステンレス製の針金（鋼線）など他の材質の針金を利用してもよい。
【符号の説明】
【００２５】
１００・・・熊手型除草器具
１０１・・・掻取部
１０２・・・把持部
１０４・・・爪部材
１０４ａ・・・掻取爪
１０４ｂ・・・固定爪
１０４ｃ・・・連結部
１０６・・・ステープル
【図１】
2013255443.tif 000003
【図２】
2013255443.tif 000004
【図３】
2013255443.tif 000005
【手続補正書】
【提出日】平成24年7月17日(2012.7.17)
【手続補正１】
【補正対象書類名】明細書
【補正対象項目名】０００６
【補正方法】変更
【補正の内容】
【０００６】
上記課題を解決するべく、本願発明は、把持部の先端に熊手型の掻取部を備えた熊手型除草器具であって、前記掻取部を略同一長さの針金をクランク形状に屈曲形成した複数の爪部材により構成し、当該複数の爪部材は並列配置すると共に一端が前記把持部の先端から突出するように当該把持部底面にステープルで固定し、更に前記爪部材の他端を前記把持部底面に打ち込んで固定していることを特徴とする。
【手続補正２】
【補正対象書類名】明細書
【補正対象項目名】０００７
【補正方法】変更
【補正の内容】
【０００７】
このように、掻取部を複数のクランク形状の爪部材で構成し且つステープルで固定するという構成を採用することによって、一部の爪部材が折損したり摩耗が進んだ場合でも、特定の爪部材のみを交換する事が可能となる。
【手続補正３】
【補正対象書類名】明細書
【補正対象項目名】０００８
【補正方法】変更
【補正の内容】
【０００８】
更に、爪部材の本数や太さを変更することが容易にできるので、除草しようとする草の種類や土質、更には使用者の体力に応じて使いやすい構成に変更する事も容易となる。例えば、硬い土質の場合は爪部材の本数を少なくすることによって掻取部を土中に差し込み易くなるので、高齢者など体力がない者にとっても使い易い除草器具となる。
【手続補正４】
【補正対象書類名】明細書
【補正対象項目名】００１４
【補正方法】変更
【補正の内容】
【００１４】
〈熊手型除草器具の構成〉
図１及び図２に示す通り、本発明に係る熊手型除草器具１００は、使用時に手で握る把持部１０２と、当該把持部１０２の先端に備わる掻取部１０１で構成されている。
【手続補正５】
【補正対象書類名】明細書
【補正対象項目名】００１６
【補正方法】変更
【補正の内容】
【００１６】
掻取部１０１は、本実施形態においては、５本の爪が熊手形状となるように構成されていて、図２に示しているように、略同一の長さの針金がクランク形状に折り曲げられて構成された５本の爪部材１０４が並列配置されて構成されている。
【手続補正６】
【補正対象書類名】明細書
【補正対象項目名】００２０
【補正方法】変更
【補正の内容】
【００２０】
〈熊手型除草器具の作用・機能〉
本発明に係る熊手型除草器具１００を使用する時は、把持部１０２を手で把持し、引掻爪１０４aを除草しようとする植物１０の株部分（根元部分）に引っ掻けて手前に引くように使用する（図３参照）。株部分が大きい植物の場合には分割して一部ずつ引っ掻けて引き抜くという動作を繰り返して除草する。
【手続補正７】
【補正対象書類名】明細書
【補正対象項目名】００２１
【補正方法】変更
【補正の内容】
【００２１】
繰り返しの使用により一部若しくは全部の爪部材１０４が折損したり摩耗したりすることがあるが、上述した通り、掻取部１０１を複数のクランク形状の爪部材１０４で構成し且つステープル１０６で固定するという構成を採用していることによって、一部の爪部材１０４が折損したり摩耗が進んだ場合でも、特定の爪部材１０４のみを交換する事が可能となる。
【手続補正８】
【補正対象書類名】明細書
【補正対象項目名】００２２
【補正方法】変更
【補正の内容】
【００２２】
更に、爪部材１０４の本数や太さを容易に変更することができるので、除草しようとする草の種類や土質、更には使用者の体力に応じて使いやすい構成に変更する事も容易となっている。例えば、硬い土質の場合は爪部材１０４の本数を少なくすることによって掻取部１０１を土中に差し込み易くなるので、高齢者など体力がない者にとっても使い易い除草器具となる。
【手続補正９】
【補正対象書類名】明細書
【補正対象項目名】００２４
【補正方法】変更
【補正の内容】
【００２４】
〈その他の構成例〉
なお上記では５本の爪部材１０４で熊手形状の掻取部１０１を構成しているが本数は５本に限られない。除草しようとする植物の種類や土質、使用者の体力等によって適宜変更することが可能である。また材質も鉄に限らずステンレス製の針金（鋼線）など他の材質の針金を利用してもよい。
【手続補正１０】
【補正対象書類名】特許請求の範囲
【補正対象項目名】全文
【補正方法】変更
【補正の内容】
【特許請求の範囲】
【請求項１】
把持部の先端に熊手型の掻取部を備えた熊手型除草器具であって、
前記掻取部が略同一長さの針金をクランク形状に屈曲形成した複数の爪部材により構成され、
当該複数の爪部材は並列配置されると共に一端が前記把持部の先端から突出するように当該把持部底面にステープルで固定され、
更に前記爪部材の他端が前記把持部底面に打ち込まれて固定されている
ことを特徴とする熊手型除草器具。